(57)【要約】    【構成】  携帯端末１０は、本体，本体の一方端に回動可能に結合された上カバー，および本体の他方端に回動可能に結合された下カバーで形成される。イメージセンサ２４は、上カバーに設けられ、被写界を撮像する。メインＬＣＤ３２は、本体の表面に設けられ、イメージセンサ２４によって撮像された被写界の画像を表示する。ＣＰＵ４４は、開閉／ひねり検知回路４２を通して両カバーの姿勢が所定条件を満足するか否かを判別し、判別結果が肯定的であるとき少なくともメインＬＣＤ３２の一部を含むエリアを有効化し、そして有効化されたエリアのサイズに応じた解像度をイメージセンサ２４に設定する。    【効果】  被写界の画像を適切に表示することができる。【選択図】  図１
2006253855.tif 000002
【特許請求の範囲】
【請求項１】
本体の一方端に回動可能に結合された第１カバーと前記本体の他方端に回動可能に結合された第２カバーと前記第１カバーに設けられたかつ被写界を撮像するイメージセンサと前記本体の表面に設けられたかつ前記イメージセンサによって撮像された被写界の画像が表示されるディスプレイとを有する撮像装置において、
前記第１カバーおよび前記第２カバーの姿勢が所定条件を満足するか否かを判別する判別手段、
前記判別手段の判別結果が肯定的であるとき少なくとも前記ディスプレイの一部を含むエリアを有効化する有効化手段、および
前記有効化手段によって有効化されたエリアのサイズに応じた解像度を前記イメージセンサに設定する設定手段を備えることを特徴とする、撮像装置。
【請求項２】
前記第１カバーの表面に設けられた補助ディスプレイをさらに備え、
前記イメージセンサは前記第１カバーの裏面に設けられる、請求項１記載の撮像装置。
【請求項３】
前記所定条件は前記第１カバーおよび前記第２カバーの両方が開状態でかつ無ひねり状態であるという第１条件を含み、
前記有効化手段は前記第１条件に関する前記判別手段の判別結果が肯定的であるとき前記ディスプレイと前記補助ディスプレイとに跨る第１エリアを有効化し、
前記設定手段は前記第１エリアに対応する解像度を設定する、請求項２記載の撮像装置。
【請求項４】
前記第２カバーの表面に設けられたかつ文字入力操作を受け付ける操作パネル、および
前記イメージセンサによって撮像された被写界の画像データを前記文字入力操作によって作成された文字データと共に送信する送信手段をさらに備える、請求項３記載の撮像装置。
【請求項５】
前記所定条件は前記第１カバーおよび前記第２カバーの両方が閉状態でかつ前記第１カバーが無ひねり状態かつ前記第２カバーが有ひねり状態であるという第２条件を含み、
前記有効化手段は前記第２条件に関する前記判別手段の判別結果が肯定的であるとき前記ディスプレイの前記第２カバー側半分の少なくとも一部を含む第２エリアを有効化し、
前記設定手段は前記第２エリアに対応する解像度を設定する、請求項３記載の撮像装置。
【請求項６】
前記所定条件は前記第１カバーが閉状態かつ前記第２カバーが開状態でかつ前記第１カバーおよび前記第２カバーの両方が無ひねり状態であるという第３条件を含み、
前記有効化手段は前記第３条件に関する前記判別手段の判別結果が肯定的であるとき前記第２エリアに含まれるかつ前記第２エリアよりも小さい第３エリアを有効化し、
前記設定手段は前記第３エリアに対応する解像度を設定する、請求項５記載の撮像装置。
【請求項７】
前記設定手段は前記有効化手段によって互いに異なる複数のエリアが同時に有効化されたとき前記複数のエリアの最大サイズに応じた解像度を前記イメージセンサに設定する、請求項１または２記載の撮像装置。
【請求項８】
前記イメージセンサによって撮像された被写界の画像データを記録媒体に記録する記録手段をさらに備える、請求項１ないし７のいずれかに撮像装置。
【発明の詳細な説明】
【技術分野】
【０００１】
この発明は、撮像装置に関し、特にたとえば、本体の一方端に回動可能に結合された第１カバーと、本体の他方端に回動可能に結合された第２カバーと、第１カバーに設けられたイメージセンサと、本体の表面に設けられたディスプレイとを有する、撮像装置に関する。
【背景技術】
【０００２】
従来この種の装置としては、特許文献１に開示されたものが知られている。この従来技術では、イメージセンサは第１カバーの側面に設けられている。撮影モードが起動されると、ディスプレイにはイメージセンサで撮像された被写界の画像（被写界像）が表示され、オペレータは、ディスプレイに表示された被写界像を見ながらシャッタ操作を行う。
【特許文献１】特開平１０−３１３４５２号公報〔０４Ｎ ７／１４，Ｈ０４Ｂ １／３８，Ｈ０４Ｑ ７／３２，７／３８，Ｈ０４Ｍ １／００〕
【発明の開示】
【発明が解決しようとする課題】
【０００３】
従来技術では、ディスプレイに表示された被写界像がカバーに隠れて見え難くなることがある。このため、希望の画像が得られない可能性がある。
【０００４】
それゆえに、この発明の主たる目的は、被写界像を適切に表示できる、撮像装置を提供することである。
【課題を解決するための手段】
【０００５】
請求項１の発明に従う撮像装置は、本体(MB)の一方端に回動可能に結合された第１カバー(CV1)と本体の他方端に回動可能に結合された第２カバー(CV2)と第１カバーに設けられたかつ被写界を撮像するイメージセンサ(24)と本体の表面に設けられたかつイメージセンサによって撮像された被写界の画像が表示されるディスプレイ(32)とを有する撮像装置において、第１カバーおよび第２カバーの姿勢が所定条件を満足するか否かを判別する判別手段(S41~S51)、判別手段の判別結果が肯定的であるとき少なくともディスプレイの一部を含むエリアを有効化する有効化手段(S53~S63)、および有効化手段によって有効化されたエリアのサイズに応じた解像度をイメージセンサに設定する設定手段(S93~S103)を備えることを特徴とする。
【０００６】
本体の一方端には第１カバーが回動可能に結合され、本体の他方端には第２カバーが回動可能に結合される。第１カバーにはイメージセンサが設けられ、本体の表面にはディスプレイが設けられる。イメージセンサは被写界を撮像し、ディスプレイはイメージセンサによって撮像された被写界の画像を表示する。第１カバーおよび第２カバーの姿勢が所定条件を満足するか否かは判別手段によって判別される。判別手段の判別結果が肯定的であるとき、少なくともディスプレイの一部を含むエリアが有効化手段によって有効化され、このときイメージセンサには、有効化手段によって有効化されたエリアのサイズに応じた解像度が設定手段によって設定される。
【０００７】
カバーの姿勢に適したエリアが有効化され、かつ有効化されたエリアに適合する解像度がイメージセンサに設定されるので、被写界像を適切に表示できる。
【０００８】
請求項２の発明に従う撮像装置は、請求項１に従属し、第１カバーの表面に設けられた補助ディスプレイ(34)をさらに備え、イメージセンサは第１カバーの裏面に設けられる。
【０００９】
第１カバーの表面には補助ディスプレイが設けられ、イメージセンサは第１カバーの裏面に設けられている。
【００１０】
ディスプレイと補助ディスプレイとを結合して被写界像をパノラマ表示したり、ディスプレイに被写界像を表示しかつ補助ディスプレイにサムネイルを表示したりといった多彩な表示態様が可能となる。
【００１１】
請求項３の発明に従う撮像装置は、請求項２に従属し、所定条件は第１カバーおよび第２カバーの両方が開状態でかつ無ひねり状態であるという第１条件を含み、有効化手段(S53)は第１条件に関する判別手段の判別結果が肯定的であるときディスプレイと補助ディスプレイとに跨る第１エリア(E1)を有効化し、設定手段(S93)は第１エリアに対応する解像度を設定する。
【００１２】
所定条件には、第１カバーおよび第２カバーの両方が開状態でかつ無ひねり状態であるという第１条件が含まれる。かかる第１条件に関する判別手段の判別結果が肯定的であるとき、有効化手段はディスプレイと補助ディスプレイとに跨る第１エリアを有効化し、設定手段はこの第１エリアに対応する解像度を設定する。
【００１３】
被写界像がディスプレイと補助ディスプレイとに跨ってパノラマサイズで表示される。
【００１４】
請求項４の発明に従う撮像装置は、請求項３に従属し、第２カバーの表面に設けられたかつ文字入力操作を受け付ける操作パネル(36)、およびイメージセンサによって撮像された被写界の画像データを文字入力操作によって作成された文字データと共に送信する送信手段(12)をさらに備える。
【００１５】
第２カバーの表面には操作パネルが設けられており、文字入力操作は、この操作パネルを通して受け付けられる。イメージセンサによって撮像された被写界の画像データは、文字入力操作によって作成された文字データと共に、送信手段により送信される。
【００１６】
第１カバーを閉かつ無ひねりの状態にしかつ第２カバーを開かつ無ひねりの状態にするだけで、文字入力操作および自分撮り操作の両方を簡単に行える。
【００１７】
請求項５の発明に従う撮像装置は、請求項３に従属し、所定条件は第１カバーおよび第２カバーの両方が閉状態でかつ第１カバーが無ひねり状態かつ第２カバーが有ひねり状態であるという第２条件を含み、有効化手段(S59)は第２条件に関する判別手段の判別結果が肯定的であるときディスプレイの第２カバー側半分の少なくとも一部を含む第２エリア(E2)を有効化し、設定手段(S99)は第２エリアに対応する解像度を設定する。
【００１８】
所定条件には、第１カバーおよび第２カバーの両方が閉状態でかつ第１カバーが無ひねり状態かつ第２カバーが有ひねり状態であるという第２条件が含まれる。かかる第２条件に関する判別手段の判別結果が肯定的であるとき、有効化手段は第２カバー側半分の少なくとも一部を含む第２エリアを有効化し、設定手段はこの第２エリアに対応する解像度を設定する。
【００１９】
被写界像がディスプレイの適切な位置に見やすいサイズで表示される。
【００２０】
請求項６の発明に従う撮像装置は、請求項５に従属し、所定条件は第１カバーが閉状態かつ第２カバーが開状態でかつ第１カバーおよび第２カバーの両方が無ひねり状態であるという第３条件を含み、有効化手段(S57)は第３条件に関する判別手段の判別結果が肯定的であるとき第２エリアに含まれるかつ第２エリアよりも小さい第３エリア(E3)を有効化し、設定手段(S97)は第３エリアに対応する解像度を設定する。
【００２１】
所定条件には、第１カバーが閉状態かつ第２カバーが開状態でかつ第１カバーおよび第２カバーの両方が無ひねり状態であるという第３条件が含まれる。かかる第３条件に関する判別手段の判別結果が肯定的であるとき、有効化手段は第２エリアに含まれるかつこれよりも小さい第３エリアを有効化し、設定手段はこの第３エリアに対応する解像度を設定する。
【００２２】
被写界像がディスプレイの適切な位置に表示される。撮影解像度が低いので、画像データをメールに添付して送信する際の通信コストを低減できる。表示画像のサイズが小さいので、添付画像の解像度を容易に認識できる。
【００２３】
請求項７の発明に従う撮像装置は、請求項１または２に従属し、設定手段(S103)は有効化手段(S63)によって互いに異なる複数のエリア(E0,E4)が同時に有効化されたとき複数のエリアの最大サイズに応じた解像度をイメージセンサに設定する。
【００２４】
複数のエリアを無駄なく利用できる。
【００２５】
請求項８の発明に従う撮像装置は、請求項１ないし７のいずれかに従属し、イメージセンサによって撮像された被写界の画像データを記録媒体(28)に記録する記録手段(26)をさらに備える。
【００２６】
イメージセンサによって撮像された被写界の画像データは、記録手段によって記録媒体に記録される。
【発明の効果】
【００２７】
この発明によれば、被写界像を適切に表示することができ、その結果、希望の画像が得られない可能性を低減できる。
【００２８】
この発明の上述の目的，その他の目的，特徴および利点は、図面を参照して行う以下の実施例の詳細な説明から一層明らかとなろう。
【発明を実施するための最良の形態】
【００２９】
図１を参照して、この実施例の携帯端末１０は、電話処理回路１４と、カメラ処理回路２６とを含む。電話処理回路１４は、移動通信システムと協働して通話機能を実現する。操作パネル３６によってダイヤル操作が行われると、ＣＰＵ４４は電話処理回路１４に発呼処理を命令する。電話処理回路１４は発呼処理を実行し、この結果、発呼信号がアンテナ１２から射出される。発呼処理の開始によって、携帯端末１０の状態は非通話状態から通話試行状態に移行する。
【００３０】
また、アンテナ１２を通して発呼信号を受信すると、電話処理回路１４は着信信号をＣＰＵ４４に与える。ＣＰＵ４４は、着信を通知するべく、音声メッセージの発生をサウンドジェネレータ１８に命令し、スイッチＳＷ１を端子Ｔ１に接続する。このような着信通知処理の開始によって、携帯端末１０の状態は非通話状態から通話試行状態に移行する。サウンドジェネレータ１８から出力された音声信号は、スイッチＳＷ１を介してアンプ２０に与えられ、これによりスピーカ２２から音声メッセージが出力される。
【００３１】
着信通知に対してオフフック操作が行われなければ、通話接続は失敗に終わる。携帯端末１０の状態は、通話試行状態から非通話状態に戻る。一方、着信通知に対してオフクッフ操作が行われれば、通話接続は成功する。携帯端末１０の状態は、通話試行状態から通話可能状態に移行する。
【００３２】
通話可能状態に移行すると、マイクロフォン１６によって捉えられた発話音声が、電話処理回路１４による変調処理を経て、アンテナ１２から出射される。出射された発話音声は、移動通信システムによって通話相手の通信端末へと伝送される。
【００３３】
通話相手から送られてきた受話音声は、アンテナ１２によって受信され、電話処理回路１４によって復調される。スイッチＳＷ１は端子Ｔ２に接続され、このため、復調された音声信号はアンプ２０に入力される。そして、スピーカ２２から受話音声が出力される。
【００３４】
操作パネル３６によってカメラ起動操作が行われると、ＣＰＵ４４は、プリ露光および間引き読み出しの繰り返しをイメージセンサ２４に命令し、スイッチＳＷ２を端子Ｔ３に接続する。イメージセンサ２４からは、被写体の光学像に対応する低解像度の生画像信号が出力される。出力された生画像信号は、カメラ処理回路２６によってＡ／Ｄ変換，色分離，ＹＵＶ変換およびコンポジット変換の一連処理を施され、これによりコンポジットビデオ信号が生成される。生成されたコンポジットビデオ信号は、スイッチＳＷ２を通してメインＬＣＤ３２および／またはサブＬＣＤ３４に与えられる。この結果、被写体のスルー画像がメインＬＣＤ３２および／またはサブＬＣＤ３４に表示される。
【００３５】
ここで、スルー画像を含む被写界像の表示先は、カバー状態（後述）に基づいて決定される。あるカバー状態では、ＣＰＵ４４によってメインＬＣＤ３２の全エリアおよびサブＬＣＤ３４の全エリアが有効化され、この結果、被写界像はメインＬＣＤ３２およびサブＬＣＤ３４に跨ってパノラマ表示される。別のカバー状態では、ＣＰＵ４４は、サムネイルの生成をカメラ処理回路２６に命令し、そしてメインＬＣＤ３２の全エリアとサブＬＣＤ３４の所定エリアとを有効化する。この場合、被写界像はメインＬＣＤ３２に表示され、サブＬＣＤ３４にはサムネイルが表示される。
【００３６】
スルー画像が表示された状態で操作パネル３６によってシャッタ操作が行われると、ＣＰＵ４４は、本露光およびこの本露光によって生成された全ての電荷の読み出しをイメージセンサ２４に命令する。イメージセンサ２４からは、高解像度の生画像信号が出力される。出力された生画像信号は、カメラ処理回路２６によってＡ／Ｄ変換，色分離およびＹＵＶ変換の一連の処理を施され、ＹＵＶ形式の画像データに変換される。ＣＰＵ４４は、変換された画像データを含む画像ファイルを作成し、作成された画像ファイルを記録媒体２８に記録する。
【００３７】
操作パネル３６によってメール画面起動操作が行われると、ＣＰＵ４４は、キャラクタジェネレータ３０にメール画面の生成を命令し、スイッチＳＷ２を端子Ｔ４に接続する。
する。これにより、メインＬＣＤ３２および／またはサブＬＣＤ３４にメール画面が表示される。
【００３８】
メール画面が表示された状態で操作パネル３６によってメールが作成されかつ発信操作が行われると、ＣＰＵ４４は、宛先のメールボックスを管理するサイトへの接続と、作成されたメールの送信とを、電話処理回路１４およびアンテナ１２を通して実行する。なお、発信操作の前に画像添付操作が行われれば、記録媒体２８から所望の画像ファイルが読み出され、読み出された画像ファイルが送信メールに添付される。自分のメールボックスにメールが存在すれば、ＣＰＵ４４は、このメールをアンテナ１２および電話処理回路１４を通して受信する。
【００３９】
ここで、図２（Ａ），図２（Ｂ），図３（Ａ）および図３（Ｂ）を参照して、携帯端末１０は、本体ＭＢと上カバーＣＶ１および下カバーＣＶ２とによって形成される。上カバーＣＶ１は、図示しないヒンジを介して本体ＭＢの上端と、軸Ｘ１および軸Ｙ１の各々の周りを回転可能に接続される。下カバーＣＶ２は、図示しない別のヒンジを介して本体ＭＢの下端と、軸Ｘ２および軸Ｙ２の各々の周りを回転可能に接続される。このため、上カバーＣＶ１および下カバーＣＶ２の位置は、開閉およびひねりの有無によって、１６通りの組み合わせが可能である。
【００４０】
図２（Ａ）および図２（Ｂ）に示されているのは、上カバーＣＶ１および下カバーＣＶ２の両方が閉じられ、かつひねりがない状態“００／００”であり、携帯端末１０は主として待受け時にこの状態に置かれる。図３（Ａ）および図３（Ｂ）に示されているのは、上カバーＣＶ１および下カバーＣＶ２の両方が開かれ、かつひねりがない状態“１１／００”であり、発信操作やメール作成操作は主としてこの状態で行われる。
【００４１】
カメラ撮影は、図３（Ａ）および図３（Ｂ）に示された状態“１１／００”，図４（Ａ）および図４（Ｂ）に示された状態“００／１１”，図５（Ａ）および図５（Ｂ）に示された状態“０１／００”，図６（Ａ）および図６（Ｂ）に示された状態“００／０１”，図７（Ａ）および図７（Ｂ）に示された状態“１１／１０”，および図８（Ａ）および図８（Ｂ）に示された状態“１０／０１”の６つの状態のいずれかで行われる。
【００４２】
図１に戻って、開閉／ひねり検知回路４２は、開閉センサおよびひねりセンサを含み、上カバーＣＶ１および下カバーＣＶ２の各々について開閉状況およびひねりの有無を検知する。フラッシュメモリ３８には、被写界像の表示先をカバー状態毎に記述したテーブルＴ１（図９参照）と、撮影解像度をカバー状態毎に記述したテーブルＴ２とが格納されている。
【００４３】
ＣＰＵ４４は、開閉／ひねり検知回路４２の検知結果に基づいて、現時点でのカバー状態を判別する。そして、テーブルＴ１を参照して、メインＬＣＤ３２の全エリアおよびサブＬＣＤ３４の全エリアのうち判別結果に対応するエリアを有効化し、かつテーブルＴ２を参照して、イメージセンサ２４に判別結果に対応する解像度を設定する。
【００４４】
より具体的には、カメラモードが選択されている期間、ＣＰＵ４４は、μＩＴＲＯＮなどのマルチタスクＯＳの制御下で、図１１に示す開閉判別タスクと、図１２に示すひねり判別タスクと、図１３に示す表示先切り換えタスクと、図１４に示す解像度切り換えタスクとを並列的に実行する。なお、これらのフロー図に対応するプログラムは、フラッシュメモリ３８に記憶される。
【００４５】
図１１を参照して、まずステップＳ１で上カバーＣＶ１が開状態か否かを判別し、判別結果が肯定的であれば、ステップＳ３で上カバー開閉フラグを“１”とする。続いて、ステップＳ５で下カバーＣＶ２が開状態か否かを判別し、判別結果が肯定的であればステップＳ７に移り、否定的であればステップＳ１３に進む。
【００４６】
ステップＳ１の判別結果が否定的であれば、ステップＳ９で上カバー開閉フラグを“０”とする。次に、ステップＳ１１で下カバーＣＶ２が開状態か否かを判別し、判別結果が肯定的であればステップＳ７に移り、否定的であればステップＳ１３に進む。
【００４７】
ステップＳ７では、下カバー開閉フラグを“１”とし、ステップＳ１３では、下カバー開閉フラグを“０”とする。そしてステップＳ１に戻る。
【００４８】
図１２を参照して、まずステップＳ２１で上カバーＣＶ１がひねり状態か否かを判別し、判別結果が肯定的であれば、ステップＳ２３で上カバーひねりフラグを“１”とする。続いて、ステップＳ２５で下カバーＣＶ２がひねり状態か否かを判別し、判別結果が肯定的であればステップＳ２７に移り、否定的であればステップＳ３３に進む。
【００４９】
ステップＳ２１の判別結果が否定的であれば、ステップＳ２９で上カバーひねりフラグを“０”とする。次に、ステップＳ３１で下カバーＣＶ２がひねり状態か否かを判別し、判別結果が肯定的であればステップＳ２７に移り、否定的であればステップＳ３３に進む。
【００５０】
ステップＳ２７では、下カバーひねりフラグを“１”とし、ステップＳ１３では、下カバーひねりフラグを“０”とする。そしてステップＳ２１に戻る。
【００５１】
図１３を参照して、ステップＳ４１〜Ｓ５１のループでは、現時点の開閉フラグおよびひねりフラグが、テーブルＴ１に表示先が登録された６つの状態すなわち“１１／００”，“００／１１”，“０１／００”，“００／０１”，“１１／１０”および“１０／０１”のどれに該当するかが判別される。
【００５２】
すなわち、上カバー開閉フラグおよび下カバー開閉フラグが共に“１”であり、かつ上カバーひねりフラグおよび下カバーひねりフラグが共に“０”であれば、ステップＳ４１でＹＥＳと判別し、ステップＳ５３に移る。ステップＳ５３では、メインＬＣＤ３２の全エリアとサブＬＣＤ３４の全エリアとを結合した結合エリア（Ｅ１）を被写界像の表示先として有効化する。有効化の後、ステップＳ４１〜Ｓ５１のループに戻る。
【００５３】
上カバー開閉フラグおよび下カバー開閉フラグが共に“０”であり、かつ上カバーひねりフラグおよび下カバーひねりフラグが共に“１”であれば、ステップＳ４３でＹＥＳと判別し、ステップＳ５５に移る。ステップＳ５５では、メインＬＣＤ３２の全部（エリアＥ０）を被写界像の表示先として有効化する。有効化の後、ステップＳ４１〜Ｓ５１のループに戻る。
【００５４】
上カバー開閉フラグが“０”で下カバー開閉フラグが“１”であり、かつ上カバーひねりフラグおよび下カバーひねりフラグが共に“０”であれば、ステップＳ４５でＹＥＳと判別し、ステップＳ５７に移る。ステップＳ５７では、メインＬＣＤ３２下半の一部（エリアＥ３）を被写界像の表示先として有効化する。有効化の後、ステップＳ４１〜Ｓ５１のループに戻る。
【００５５】
上カバー開閉フラグおよび下カバー開閉フラグが共に“０”であり、かつ上カバーひねりフラグが“０”で下カバーひねりフラグが“１”であれば、ステップＳ４７でＹＥＳと判別し、ステップＳ５９に移る。ステップＳ５９では、メインＬＣＤ３２下半の全部（エリアＥ２）を被写界像の表示先として有効化する。有効化の後、ステップＳ４１〜Ｓ５１のループに戻る。
【００５６】
上カバー開閉フラグおよび下カバー開閉フラグが共に“１”であり、かつ上カバーひねりフラグが“１”で下カバーひねりフラグが“０”であれば、ステップＳ４９でＹＥＳと判別し、ステップＳ６１に移る。ステップＳ６１では、メインＬＣＤ３２の全部（エリアＥ０）を被写界像の表示先として有効化する。有効化の後、ステップＳ４１〜Ｓ５１のループに戻る。
【００５７】
上カバー開閉フラグが“１”で下カバー開閉フラグが“０”であり、かつ上カバーひねりフラグが“０”で下カバーひねりフラグが“１”であれば、ステップＳ５１でＹＥＳと判別し、ステップＳ６３に移る。ステップＳ６３では、メインＬＣＤ３２全部（エリアＥ０）を被写界像の表示先として有効化し、かつサブＬＣＤ３４の一部（エリアＥ４）をサムネイルの表示先として有効化する。有効化の後、ステップＳ４１〜Ｓ５１のループに戻る。
【００５８】
図１４を参照して、ステップＳ７１〜Ｓ８１のループでは、現時点の開閉フラグおよびひねりフラグが、テーブルＴ２に表示先が登録された６状態のどれに該当するかが判別される。
【００５９】
すなわち、上カバー開閉フラグおよび下カバー開閉フラグが共に“１”であり、かつ上カバーひねりフラグおよび下カバーひねりフラグが共に“０”であれば、ステップＳ７１でＹＥＳと判別し、ステップＳ９３に移る。ステップＳ９３では、“パノラマ”に対応する解像度（４８０＊２４０）をイメージセンサ２４に設定する。設定の後、ステップＳ７１〜Ｓ８１のループに戻る。
【００６０】
上カバー開閉フラグおよび下カバー開閉フラグが共に“０”であり、かつ上カバーひねりフラグおよび下カバーひねりフラグが共に“１”であれば、ステップＳ７３でＹＥＳと判別し、ステップＳ９５に移る。ステップＳ９５では、“ノーマル”に対応する解像度（３２０＊２４０）をイメージセンサ２４に設定する。設定の後、ステップＳ７１〜Ｓ８１のループに戻る。
【００６１】
上カバー開閉フラグが“０”で下カバー開閉フラグが“１”であり、かつ上カバーひねりフラグおよび下カバーひねりフラグが共に“０”であれば、ステップＳ７５でＹＥＳと判別し、ステップＳ９７に移る。ステップＳ９７では、“スモール２”に対応する解像度（１２０＊１８０）をイメージセンサ２４に設定する。設定の後、ステップＳ７１〜Ｓ８１のループに戻る。
【００６２】
上カバー開閉フラグおよび下カバー開閉フラグが共に“０”であり、かつ上カバーひねりフラグが“０”で下カバーひねりフラグが“１”であれば、ステップＳ７７でＹＥＳと判別し、ステップＳ９９に移る。ステップＳ９９では、“スモール１”に対応する解像度（１８０＊２４０）をイメージセンサ２４に設定する。設定の後、ステップＳ７１〜Ｓ８１のループに戻る。
【００６３】
上カバー開閉フラグおよび下カバー開閉フラグが共に“１”であり、かつ上カバーひねりフラグが“１”で下カバーひねりフラグが“０”であれば、ステップＳ７９でＹＥＳと判別し、ステップＳ１０１に移る。ステップＳ１０１では、“ノーマル”に対応する解像度（３２０＊２４０）をイメージセンサ２４に設定する。設定の後、ステップＳ７１〜Ｓ８１のループに戻る。
【００６４】
上カバー開閉フラグが“１”で下カバー開閉フラグが“０”であり、かつ上カバーひねりフラグが“０”で下カバーひねりフラグが“１”であれば、ステップＳ８１でＹＥＳと判別し、ステップＳ１０３に移る。ステップＳ１０３では、ステップＳ９５では、“ノーマル”に対応する解像度（３２０＊２４０）をイメージセンサ２４に設定する。設定の後、ステップＳ７１〜Ｓ８１のループに戻る。
【００６５】
このような表示先切り換え処理および解像度切り換え処理の結果、状態“１１／００”（図３（Ａ）および図３（Ｂ）参照）では、図１５（Ａ）に示すように、メインＬＣＤ３２の全体およびサブＬＣＤ３４の全体つまりエリアＥ１に“パノラマ”つまり解像度４８０＊２４０の被写界像が表示される。状態“００／１１”（図４（Ａ）および図４（Ｂ）参照）では、図１５（Ｂ）に示すように、メインＬＣＤ３２の全体つまりエリアＥ０に“ノーマル”つまり解像度３２０＊２４０の被写界像が表示される。
【００６６】
状態“０１／００”（図５（Ａ）および図５（Ｂ）参照）では、図１５（Ｃ）に示すように、メインＬＣＤ３２下半の一部つまりエリアＥ３に“スモール２”つまり解像度１２０＊１８０の被写界像が表示される。状態“００／０１”（図６（Ａ）および図６（Ｂ）参照）では、図１５（Ｄ）に示すように、メインＬＣＤ３２下半の全体つまりエリアＥ２に“スモール１”つまり解像度１６０＊２４０の被写界像が表示される。状態“１１／１０”（図７（Ａ）および図７（Ｂ）参照）では、図１５（Ｅ）に示すように、メインＬＣＤ３２の全体つまりエリアＥ０に“ノーマル”つまり解像度３２０＊２４０の被写界像が表示される。
【００６７】
状態“１０／０１”（図８（Ａ）および図８（Ｂ）参照）では、図１５（Ｆ）に示すように、メインＬＣＤ３２の全体つまりエリアＥ０に“ノーマル”つまり解像度３２０＊２４０の被写界像が表示され、さらにサブＬＣＤ３４の一部つまりエリアＥ４に被写界像のサムネイル（解像度は例えば１６０＊１２０）が表示される。
【００６８】
以上から明らかなように、この実施例では、携帯端末１０は、本体ＭＢ，本体ＭＢの上端に回動可能に結合された上カバーＣＶ１，および本体ＭＢの下端に回動可能に結合された下カバーＣＶ２で形成される。イメージセンサ２４は、上カバーＣＶ１に設けられ、被写界を撮像する。メインＬＣＤ３２は、本体ＭＢの表面に設けられ、イメージセンサ２４によって撮像された被写界の画像を表示する。
【００６９】
ＣＰＵ４４は、開閉／ひねり検知回路４２を通して２つのカバーＣＶ１およびＣＶ２の姿勢が所定条件を満足するか否かを判別し（Ｓ４１〜Ｓ５１）、判別結果が肯定的であるとき少なくともメインＬＣＤ３２の一部を含む表示エリアを有効化し（Ｓ５３〜Ｓ６３）、そして有効化された表示エリアのサイズに応じた解像度をイメージセンサ２４に設定する（Ｓ９３〜Ｓ１０３）。
【００７０】
このように、２つのカバーＣＶ１およびＣＶ２の姿勢を検知して、検知された姿勢に適した表示エリアを有効化し、かつ有効化された表示エリアのサイズに適合する解像度をイメージセンサ２４に設定するので、被写界の画像を適切に表示することができる。
【００７１】
以上では、携帯端末１０を用いて説明したが、この発明は、本体の一方端に回動可能に結合された第１カバーと、本体の他方端に回動可能に結合された第２カバーと、第１カバーに設けられたイメージセンサと、本体の表面に設けられたディスプレイとを有する、あらゆる撮像装置に適用できる。
【図面の簡単な説明】
【００７２】
【図１】この発明の一実施例の構成を示すブロック図である。
【図２】（Ａ）は図１実施例に適用されるカバー状態の一例を示す正面図であり、（Ｂ）は図１実施例に適用されるカバー状態の一例を示す側面図である。
【図３】（Ａ）は図１実施例に適用されるカバー状態の他の一例を示す正面図であり、（Ｂ）は図１実施例に適用されるカバー状態の他の一例を示す側面図である。
【図４】（Ａ）は図１実施例に適用されるカバー状態のその他の一例を示す正面図であり、（Ｂ）は図１実施例に適用されるカバー状態のその他の一例を示す側面図である。
【図５】（Ａ）は図１実施例に適用されるカバー状態のさらにその他の一例を示す正面図であり、（Ｂ）は図１実施例に適用されるカバー状態のさらにその他の一例を示す側面図である。
【図６】（Ａ）は図１実施例に適用されるカバー状態の他の一例を示す正面図であり、（Ｂ）は図１実施例に適用されるカバー状態の他の一例を示す側面図である。
【図７】（Ａ）は図１実施例に適用されるカバー状態のその他の一例を示す正面図であり、（Ｂ）は図１実施例に適用されるカバー状態のその他の一例を示す側面図である。
【図８】（Ａ）は図１実施例に適用されるカバー状態のさらにその他の一例を示す正面図であり、（Ｂ）は図１実施例に適用されるカバー状態のさらにその他の一例を示す側面図である。
【図９】図１実施例に適用される表示先テーブルを示す図解図である。
【図１０】図１実施例に適用される解像度テーブルを示す図解図である。
【図１１】図１実施例に適用されるＣＰＵ動作の一部を示す図解図である。
【図１２】図１実施例に適用されるＣＰＵ動作の他の一部を示す図解図である。
【図１３】図１実施例に適用されるＣＰＵ動作のその他の一部を示す図解図である。
【図１４】図１実施例に適用されるＣＰＵ動作のさらにその他の一部を示す図解図である。
【図１５】（Ａ）は図３（Ａ）および図３（Ｂ）の状態に対応する表示画像の一例を示す図解図であり、（Ｂ）は図４（Ａ）および図４（Ｂ）の状態に対応する表示画像の一例を示す図解図であり、（Ｃ）は図５（Ａ）および図５（Ｂ）の状態に対応する表示画像の一例を示す図解図であり、（Ｄ）は図６（Ａ）および図６（Ｂ）の状態に対応する表示画像の一例を示す図解図であり、（Ｅ）は図７（Ａ）および図７（Ｂ）の状態に対応する表示画像の一例を示す図解図であり、（Ｆ）は図８（Ａ）および図８（Ｂ）の状態に対応する表示画像の一例を示す図解図である。
【符号の説明】
【００７３】
１０…携帯端末
１４…電話処理回路
２４…イメージセンサ
２６…カメラ処理回路
３２…メインＬＣＤ
３４…サブＬＣＤ
３８…フラッシュメモリ
４２…開閉／ひねり検知回路
４４…ＣＰＵ
【図１】
2006253855.tif 000003
【図２】
2006253855.tif 000004
【図３】
2006253855.tif 000005
【図４】
2006253855.tif 000006
【図５】
2006253855.tif 000007
【図６】
2006253855.tif 000008
【図７】
2006253855.tif 000009
【図８】
2006253855.tif 000010
【図９】
2006253855.tif 000011
【図１０】
2006253855.tif 000012
【図１１】
2006253855.tif 000013
【図１２】
2006253855.tif 000014
【図１３】
2006253855.tif 000015
【図１４】
2006253855.tif 000016
【図１５】
2006253855.tif 000017